(57)【要約】  【課題】  軌道付近に植物を植えるための植生ユニットであって、部分的に交換する場合にも取り外しの容易であり、見栄えの良いものを提供する。  【解決手段】  上部が開口している箱状体１０と、箱状部１０内に配置される芝３１が植生されている植生部１１を有している植生ユニット１が用いられる。そして、植生ユニット１の箱状体１０の接続側板１５が、外側に向かって広がるように傾斜しており、敷き詰めた後で、取り替える際に取り外しやすくしている。また、接続側板１５が長手側面１６のよりも低く、接続側板１５の上側の縁部１９を隠すことができる。そして、植生ユニット１を路面電車の軌道付近などに設置する。【選択図】  図１
2005287404.tif 000002
【特許請求の範囲】
【請求項１】
上部が開口している箱状体と、前記箱状部内に植物が植生されている植生部を有し、前記
箱状体には底板、接続側板及び長手側板を有しており、前記接続側板は複数設けられて互
いに対向するよう配置されており、複数の箱状体を用いて隣接する箱状体の接続側板側を
合わせるようにして配置することにより、所定の方向に延びるように連続して設置するこ
とが可能な植生ユニットであって、前記接続側板同士の距離が上側ほど長くなるように配
置されて箱状体の開口は底板よりも大きく、前記接続側板の上側の縁部は長手側面の上側
の縁部よりも低い位置にあることを特徴とする植生ユニット。
【請求項２】
一方の接続側板の上側の縁と他方の接続側板の下側の縁との距離は、一方及び他方の接続
側板の上側の縁同士の距離よりも短いものであることを特徴とする請求項１に記載の植生
ユニット。
【請求項３】
複数の箱状体を用いて隣接する箱状体の接続側板側を合わせるようにして配置すると、長
手側板同士が所定の方向に延びるようにつながるものであることを特徴とする請求項１又
は２に記載の植生ユニット。
【請求項４】
接続側板の上側の縁部には、覆い部が設けられ、前記接続部は隣接する他の接続側板の上
側の縁部を覆うことができることを特徴とする請求項１〜３のいずれかに記載の植生ユニ
ット。
【請求項５】
接続側板又は長手側板には貫通孔又は支持部が設けられていることを特徴とする請求項１
〜４のいずれかに記載の植生ユニット。
【請求項６】
底板には貫通孔が設けられていることを特徴とする請求項１〜５のいずれかに記載の植生
ユニット。
【請求項７】
箱状体は、金属、繊維強化樹脂及び再生樹脂のいずれかにより形成されていることを特徴
とする請求項１〜６のいずれかに記載の植生ユニット。
【請求項８】
請求項１〜７のいずれかの植生ユニットを複数用い、隣接する箱状体の接続側板側を合わ
せるようにして配置して、レール方向に延びる様にまくら木上に設置することを特徴とす
る植生軌道構造。
【請求項９】
隣接する２つの接続側板の上側の縁部を覆うことのできる、覆い部材が設けられているこ
とを特徴とする請求項８に記載の植生軌道構造。
【請求項１０】
軌道方向に延びる配水管が設けられていることを特徴とする請求項８又は９に記載の植生
軌道構造。
【発明の詳細な説明】
【技術分野】
【０００１】
本発明は、路面電車等の軌道の間や周辺などの路面に設置される植生ユニット、並びに
、植生軌道構造に関するものである。
【背景技術】
【０００２】
路面電車などの軌道の間やその周辺に、芝などの植物を植えることが行われている。そ
して、このように、軌道の間やその周辺に芝を植えることによって、ヒートアイランド現
象の低減が期待され、また、見た目を美しくすることができる。
【０００３】
植物を軌道付近に植生するには、軌道付近に用土の部分を設けて、そこに植生させるこ
とが必要である。そして、施工を容易とするため、特許文献１に記載された植生構造のよ
うに、用土を箱にいれて芝を植えた状態のものを用いて、これを敷き詰めて行う方法があ
る。
【特許文献１】特開２００２−２８１８２２号公報
【０００４】
特許文献１に記載の植生構造では、施工が容易となるだけでなく、芝が枯れた場合など
の交換する際にも、箱ごと交換することにより、作業を容易に行うことができる。
【発明の開示】
【発明が解決しようとする課題】
【０００５】
しかしながら、上記の箱を部分的に交換する場合には、交換しにくい場合があった。す
なわち、施工の際には、箱同士が密着するように並べられるので、箱同士の隙間がほとん
どなく、また、箱同士の間に砂などが入り込み、箱同士の摩擦が大きくなってしまう。
【０００６】
また、従来の箱の形状は直方体状であり、全体を傾けずに上方に移動させなければなら
ず、傾いてしまうと、隣接する箱との接触力が大きくなって、さらに、取り出しが困難で
あった。
【０００７】
また、箱同士が接触する側の壁が用土を区切っているので、この壁の部分は、芝が生え
ないので、他の部分と比べて色が薄くなり、見栄えが悪くなってしまう。
【０００８】
そこで、本発明の目的は、部分的に交換する場合にも取り外しの容易な植生ユニット、
並びに、植生軌道構造を提供することを課題とするものである。
【課題を解決するための手段】
【０００９】
そして、上記した目的を達成するための請求項１に記載の発明は、上部が開口している
箱状体と、前記箱状部内に植物が植生されている植生部を有し、前記箱状体には底板、接
続側板及び長手側板を有しており、前記接続側板は複数設けられて互いに対向するよう配
置されており、複数の箱状体を用いて隣接する箱状体の接続側板側を合わせるようにして
配置することにより、所定の方向に延びるように連続して設置することが可能な植生ユニ
ットであって、前記接続側板同士の距離が上側ほど長くなるように配置されて箱状体の開
口は底板よりも大きく、前記接続側板の上側の縁部は長手側面の上側の縁部よりも低い位
置にあることを特徴とする植生ユニットである。
【００１０】
請求項１に記載の発明によれば、対向する接続側板同士の距離が上側ほど長くなるよう
に配置されて箱状体の開口は底板よりも大きいので、植生ユニットを接続側板側を合わせ
るようにして所定の方向に延びるように連続して設置した際に、隣接する箱状体同士の開
口側である上部を敷き詰めた状態としながら、箱状体同士の下側に隙間を設けることがで
きるので、取り外しの際に傾けて行うことができる。また、前記接続側板の上側の縁部は
、長手側面の上側の縁部よりも低い位置にあるので、接続側板の上側の縁部を植物によっ
て隠すことができる。
【００１１】
請求項２に記載の発明は、一方の接続側板の上側の縁と他方の接続側板の下側の縁との
距離は、一方及び他方の接続側板の上側の縁同士の距離よりも短いものであることを特徴
とする請求項１に記載の植生ユニットである。
【００１２】
請求項２に記載の発明によれば、一方の接続側板の上側の縁と他方の接続側板の下側の
縁との距離は、一方及び他方の接続側板の上側の縁同士の距離よりも短いので、他方の接
続側板の上側の縁部付近を中心として一方の接続板側を上げるようにして回転させた場合
に、隣接する箱状体が邪魔にならず回転させることができる。
【００１３】
請求項３に記載の発明は、複数の箱状体を用いて隣接する箱状体の接続側板側を合わせ
るようにして配置すると、長手側板同士が所定の方向に延びるようにつながるものである
ことを特徴とする請求項１又は２に記載の植生ユニットである。
【００１４】
請求項３に記載の発明によれば、複数の箱状体を用いて隣接する箱状体の接続側板側を
合わせるようにして配置すると、長手側板が所定の方向に延びるようにつながっているの
で、接続側板の上側の縁部の上部の用土などを外部に流出することを防ぐことができる。
【００１５】
請求項４に記載の発明は、接続側板の上側の縁部には、覆い部が設けられ、前記接続部
は隣接する他の接続側板の上側の縁部を覆うことができることを特徴とする請求項１〜３
のいずれかに記載の植生ユニットである。
【００１６】
請求項４に記載の発明によれば、接続側板の上側の縁部には、覆い部が設けられ、前記
接続部は隣接する他の接続側板の上側の縁部を覆うことができるので、接続側板の上側の
縁部の隙間から土などの異物の浸入を防止することができる。
【００１７】
請求項５に記載の発明は、接続側板又は長手側板には貫通孔又は支持部が設けられてい
ることを特徴とする請求項１〜４のいずれかに記載の植生ユニットである。
【００１８】
請求項５に記載の発明によれば、接続側板には貫通孔やが設けられているので、貫通孔
や支持部に治具などを引っかけて接続側板を引き上げることが可能である。
【００１９】
請求項６に記載の発明は、底板には貫通孔が設けられていることを特徴とする請求項１
〜５のいずれかに記載の植生ユニットである。
【００２０】
請求項６に記載の発明によれば、底板には貫通孔が設けられているので、水やりや雨水
が入った際に余分な水を排水することができる。
【００２１】
箱状体は、金属、繊維強化樹脂及び再生樹脂のいずれかによって形成してもよい（請求
項７）。
【００２２】
また、上記した植生ユニットを複数用いて、隣接する箱状体の接続側板側を合わせるよ
うにして配置して、レール方向に延びる様にまくら木上に設置することができる（請求項
８）。
【００２３】
請求項９に記載の発明は、隣接する２つの接続側板の上側の縁部を覆うことのできる、
覆い部材が設けられていることを特徴とする請求項８に記載の植生軌道構造である。
【００２４】
請求項９に記載の発明によれば、覆い部材により、隣接する２つの接続側板の上側の縁
部を覆うので、接続側板の上側の縁部の隙間から土などの異物の浸入を防止することがで
きる。
【００２５】
請求項１０に記載の発明は、軌道方向に延びる配水管が設けられていることを特徴とす
る請求項８又は９に記載の植生軌道構造である。
【００２６】
請求項１０に記載の発明によれば、軌道方向に延びる配水管により、水やり作業を容易
に行うことができる。
【発明の効果】
【００２７】
本発明の植生ユニットによれば、植生が容易であり、部分的に交換する場合にも取り外
しが容易である。
【発明を実施するための最良の形態】
【００２８】
本発明の実施形態における植生ユニット１は、図１に示されるように、箱状体１０と植
生部１１を有している。箱状体１０は、図２に示されるように、上部が開口した容器であ
り、底板１２及び側板部１３を有し、底板１２及び側板部１３は板状の部材であって、こ
れらを接合して形成されている。
箱状体１０の大きさは、植生ユニット１が設置される場所の大きさに合わせられて所定
の大きさである。
【００２９】
底板１２は長方形状の板状の部材であり、図２に示されるように所定の間隔に配置され
ている貫通孔１２ａが設けられている。
【００３０】
側板部１３は４枚の板状の部材からなり、底板１２の縁に上側に延びるように接続され
ており、側板部１３と底板１２により内部に空間２１を有する容器状となっている。また
、側板部１３は接続側板１５及び長手側板１６を有している。
【００３１】
接続側板１５は、互いに対向するように配置されており、接続側板１５同士の距離は、
上側ほど外側向かって長くなるように傾斜して配置されている。したがって、接続側板１
５は上側の縁部１７が外側にはみ出すように傾斜し、空間２１は上側ほど幅広となってい
る。また、接続側板１５には長手側板１６との接続部付近に貫通孔２２が設けられている
。
【００３２】
そして、図４〜図６に示されるように、接続側板１５は上記のように傾斜しているので
、一方の接続側板１５ａの上側の縁部１７ａと他方の接続側板１５ｂの下側の縁部１９ｂ
との距離は、一方の接続側板１５ａの上側の縁部１７ａと他方の接続側板１５ｂの上側の
縁部１７ｂの距離よりも短い。また、一方及び他方の接続側板１５の下側の縁部１９同士
の間には隙間４０が形成される。
したがって、植生ユニット１が敷き詰められた状態で、一方の接続側板１５ａ側を上げ
、傾けながら植生ユニット１を取り外すことができる。
【００３３】
長手側板１６は、接続側板１５同士の間であって、互いに対向するように配置されてい
る。また、底板１２に対して垂直であり、傾斜はしていない。なお、本実施形態の長手側
板１６は傾斜していないが、傾斜していても構わない。
そして、両側の長手側板１６の上側の縁部１８には、外側に張り出す張出部材２０が各
１本ずつ取り付けられている。張出部材２０は絶縁体が用いられており、軌道に設置する
際に、レール９０同士の導通を防ぐことができる。
【００３４】
長手側板１６の高さ方向の長さは、接続側板１５よりも長く、接続側板１５の上側の縁
部１７は、長手側板１６の上側の縁部１８よりも下側に位置している。
【００３５】
さらに、図２に示されるように、箱状体１０の空間２１内に補強板２３が設けられてい
る。補強板２３には、第一補強板２５、第二補強板２６、第三補強板２７を有している。
第一補強板２５は板状であって、その縁が、底板１２及び長手側板１６に接続している。
また第二補強板２６は板状であって、その縁が、底板１２、接続側板１５及び第一補強板
２５に接続している。第三補強板２７は底板１２に接続している。
補強板２３は、図１に示されるように、植生部１１が空間２１に配置されると埋まるの
で、外部から見えることはない。
【００３６】
また、第一補強板２５、第二補強板２６の固定のため、留め具３３が用いられている。
具体的には、留め具３３を長手側板１６に固定して、第一補強板２５の上方への離脱を防
止し、また、留め具３３を第一補強板２５に固定して第二補強板２６の上方への離脱を防
止している。
【００３７】
箱状体１０や補強板２３の材質は、どのようなものを用いても良く、例えば、金属、繊
維強化樹脂及び再生樹脂等が用いることができる。
【００３８】
植生部１１は、図１に示されるように、箱状体１０の空間２１に配置される。そして、
具体的には、用土３０の上に芝３１が植えられている。用土３０及び芝３１は、使用され
る環境に応じたものを用いることができる。また、芝３１以外の植物を植生したものを用
いることができる。
【００３９】
次に、軌道周辺に植生ユニット１が設置されている植生軌道構造８について説明する。
植生ユニット１は、同様な構造のものを複数用いられるので、あらかじめ、工場などで、
植生ユニット１を製造しておき、その植生ユニット１を設置される場所に持って行く。
【００４０】
図２には、植生ユニット１が軌道に設置された状態での、箱状体１０とレール９０及び
まくら木９１との位置関係が図示されている。なお、実際に植生ユニット１を軌道に設置
する際には、箱状体１０の空間２１に植生部１１が設けたものが使用される。
【００４１】
そして、図２に示されるように、植生ユニット１はレール９０同士の間に配置されてお
り、底板１２の貫通孔１２ａはまくら木９１の位置を避けている。したがって、雨が降っ
た場合や、水やりを行った際に、余分な水を排水することができる。
【００４２】
また、長手側板１６はレール９０方向に沿うようし、接続側板１５はレール９０方向に
垂直方向となるように配置される。また、張出部材２０はレール９０付近に位置している
が、張出部材２０とレール９０とは接触しておらず、わずかな隙間を有している。
【００４３】
植生ユニット１を設置する場合や、移動させる場合などには、接続側板１５に設けられ
ている貫通孔２２を用い、貫通孔２２に所定の治具などを挿入して引っかけて移動などを
行うことができる。
また、長手側板１６の内側に支持部を設け、この支持部に引っかけ治具を引っかけて引
き上げることでもよい。そして、この場合には、支持部は内側に張り出すようにして設け
ることが望ましい。さらに、前記した張出部材２０と同じ部材を用いて形成してもよい。
【００４４】
また、図２に示される植生ユニット１では、一対のレール９０の間である軌道内に配置
されるものであるが、図３に示すように、複線軌道の間にも植生ユニット１を設けている
。
【００４５】
そして、複数の植生ユニット１を用いて、レール９０方向に敷き詰めていく。植生ユニ
ット１は、長手側板１６がレール９０方向に沿っており、接続側板１５がレール９０方向
に垂直方向となっているので、植生ユニット１の接続側板１５は露出し、長手側板１６は
レール９０に隠れた状態となっている。
【００４６】
そして、植生ユニット１同士を、接続側板１５同士の上側を合わせるようにして敷き詰
める。図４に示されるように、植生ユニット１の接続側板１５は、上側の縁部１７が外側
にはみ出すように傾斜しているので、植生ユニット１を敷き詰めると、上側の縁部１７同
士の隙間がほぼ接触した状態となる。
【００４７】
また、植生ユニット１を敷き詰めると、図４のように、隣接する長手側板１６同士がつ
ながって、長手側板１６がレール９０方向に延びる。
【００４８】
このようにして、植生を行う範囲について、植生ユニット１を敷き詰めるように並べて
、植生軌道構造８が完成する。
【００４９】
本実施形態の植生軌道構造８では、図４に示されるように、長手側板１６の高さが接続
側板１５よりも長く、接続側板１５の上側の縁部１７は、長手側板１６の上側の縁部１８
よりも下側に位置している植生ユニット１が用いられている。
【００５０】
したがって、植生ユニット１の設置後に、接続側板１５の上側の縁部１７よりも高く用
土３０を盛って芝３１を生育させるなどして、植生ユニット１の接続側板１５の上側の縁
部１７を覆うようにすることができる。芝３１が成長して定着していくことにより、接続
側板１５が見えないようになり、植生軌道構造８の芝３１の切れ目がなくなって見た目が
きれいである。
【００５１】
本実施形態では、隣接する長手側板１６同士がつながっており、この長手側板１６の位
置は接続側板１５の上側の縁部１７よりも高い位置であるので、土を盛ったりする場合に
も、長手側板１６により流れ出ることはない。
【００５２】
また、所定の部分の芝３１が枯れるなどした場合には、植生ユニット１を必要な部分の
み交換することにより補修することができる。この場合、接続側板１５に設けられた貫通
孔２２を、所定の治具などにより引っかけて上げることにより、簡単に取り外しができる
。
【００５３】
すなわち、図４〜図６に示されるように、一方の接続側板１５ａの貫通孔２２に治具４
１を挿入して引き上げる。ここで、植生ユニット１の接続側板１５は、接続側板１５の上
側の縁部１７が外側にはみ出すように傾斜し、一方の接続側板１５ａの上側の縁部１７ａ
と他方の接続側板１５ｂの下側の縁部１９ｂとの距離は、一方の接続側板１５ａの上側の
縁部１７ａと他方の接続側板１５ｂの上側の縁部１７ｂの距離よりも短いので、他方の接
続板１５ｂの上側の縁部１７ｂ付近を中心として回転することが可能であるため、植生ユ
ニット１が敷き詰められた状態でも容易に取り出すことができる。
【００５４】
そして、取り出した植生ユニット１を新たな植生ユニット１に変えて、はめ込むように
して設置する。
【００５５】
また、植生ユニット１の構造については、以下に示す他のものを採用することができる
。
第２の実施形態である植生ユニット２は、図７、図８に示されており、箱状体５２の上
部には貫通部５１ａを有する支持部材５１が設置されている。そして、支持部材５１は箱
状体５２と締結部材５３によって着脱可能に締結されている。
【００５６】
そして、図８に示されるように、長手側板１６は外側に向かって広がる方向に傾斜して
おり、また、長手側板１６の上側の縁部１８付近で、支持部材５１が接続されている。こ
の支持部材５１は、具体的にはグレーチングであり、植生ユニット２上に何かが乗った場
合に、支えて破損を防止するものである。
【００５７】
また、長手側板１６の上側の縁部１８付近の外側には、外枠材５５が設けられている。
外枠材５５は断面「Ｌ」状の長尺状の部材であり、外枠材５５の材質は、繊維強化樹脂や
塩化ビニル樹脂やポリエチレンテレフタレート樹脂などが用いられ、レール９０との絶縁
が行われる。また、箱状体５２の材質は、鉄や繊維強化樹脂やポリエチレンなどが用いら
れる。
【００５８】
なお、底板１２には貫通孔１２ａが設けられており、図示しない接続側板１５が傾斜し
ているなど、他の構造については、上記した第１の実施形態の植生ユニット１と同様であ
る。
【００５９】
第３の実施形態である植生ユニット３は、図９、図１０に示されており、第２の実施形
態である植生ユニット２と比較して、支持部材５６が異なるものであり、具体的には、ネ
ットが用いられている。そして、ネットである支持部材５６は、第２の実施形態と同様に
、長手側板１６の上側の縁部１８付近で、支持部材５６が接続されている。さらに、外枠
材５５は、断面「Ｌ」状の長尺状の部材であり、図９に示すように、外枠材５５の水平部
分５５ａが下側となるように設置しても良く、図１０に示すように、外枠材５５の水平部
分５５ａが上側となるように設置しても良い。
【００６０】
第２及び第３の実施形態の植生ユニット２、３では、支持部材５１、５６が設けられて
いるので、植生ユニット２、３に車輛など、何かが乗った際に支持部材５１、５６によっ
て支えることができる。植生ユニット２、３が破損しにくい。また、植生部１１の芝３１
などの植物は貫通部５１ａから上部に生えてゆく。
【００６１】
第４の実施形態における植生ユニット４は、図１１、図１２に示されている。なお、図
１２は、植生ユニット４の箱状体６０の底板１２、接続側板１５及び長手側板１６のみを
図示している。
【００６２】
そして、植生ユニット４の接続側板１５の上側の縁部１７の一方には、図１２に示すよ
うに、覆い部６１が設けられている。覆い部６１は、接続側板１５の上側の縁部１７から
下に延びる部分である。そして、植生ユニット４を用いて、植生軌道構造８ａを形成する
と、覆い部６１が隣接する他の接続側板１５の上側の縁部１７の上側を重なるようにして
覆って植生軌道構造８ａを形成する。
【００６３】
したがって、接続側板１５の上側の縁部１７の隙間から土などの異物の混入を防ぐ。ま
た、隣接する接続側板１５同士の結合を強固にして、植生ユニット４に車輛など、何かが
乗った際の破損を防止する。
【００６４】
また、この覆い部６１を、両側の接続側板１５の上側の縁部１７に設けた植生ユニット
５と、いずれの接続側板１５の上側の縁部１７にも設けない植生ユニット１と組み合わせ
て交互に配置することにより、図１３に示すように、全ての接続側板１５の上側の縁部１
７を覆う植生軌道構造８ｂとすることもできる。
【００６５】
さらに、いずれの接続側板１５の上側の縁部１７にも設けない植生ユニット１を用い、
接続側板１５の上側の縁部１７に覆い部材６８を配置して、接続側板１５の上側の縁部１
７を覆う植生軌道構造８ｃとすることもできる（図１４）。
【００６６】
そして、レール９０の曲線部では、植生ユニット１、２、３、４、５の形状も合わせる
ことも必要である。上記した実施形態では、覆い部材６８の形状を扇形などの形状のもの
を採用することにより対応が可能であるので、施工が容易である。
【００６７】
また、図１５に示される植生軌道構造８ｄように、長手側板１６の上側の縁部１８付近
に、レール９０方向に延びる配水管７０を設けてもよい。そして、配水管７０には、レー
ル両側の箱状体に水まきできる様に、小孔を設けておく。そして、水やり作業の際には、
配水管７０に水を通水して水やり作業を行う。または、配水管７０が穴あきカバー材又は
カバー管に収納されており、この穴から溢れた水が植生ユニット１、２、３、４、５に流
入するようになっていてもよい。
【図面の簡単な説明】
【００６８】
【図１】本発明の第１の実施形態の植生ユニットの一部を切り欠いた状態での斜視図である。
【図２】図１の植生ユニットの箱状体の斜視図である。
【図３】本発明の第１の実施形態の植生ユニットを用いて形成した植生軌道構造のレール方向に垂直な面による断面図である。
【図４】第１の実施形態の植生ユニットを用いて形成した植生軌道構造のレール方向に平行な上下方向の面による断面図である。
【図５】図４の状態から植生ユニットを取り外す際の途中を示した断面図である。
【図６】図４の状態から植生ユニットを取り外した状態を示した断面図である。
【図７】本発明の第２の実施形態の植生ユニットの平面図及びレール方向に垂直な面による断面図である。
【図８】図７のレール方向に垂直な面による断面図の端部付近を拡大した図である。
【図９】本発明の第３の実施形態の植生ユニットのレール方向に垂直な面による断面図の端部付近を拡大した図である。
【図１０】本発明の第３の実施形態の植生ユニットの変形例のレール方向に垂直な面による断面図の端部付近を拡大した図である。
【図１１】本発明の第４の実施形態の植生ユニットを用いた植生軌道構造のレール方向に垂直な面による断面図である。
【図１２】本発明の第４の実施形態の植生ユニットを用いた植生軌道構造のレール方向に平行な上下方向の面から見た断面図である。
【図１３】本発明の植生軌道構造の変形例の断面図である。
【図１４】本発明の植生軌道構造の変形例の断面図である。
【図１５】本発明の植生軌道構造の変形例の断面図である。
【符号の説明】
【００６９】
１、２、３、４、５  植生ユニット
８、８ａ、８ｂ、８ｃ、８ｄ  植生軌道構造
１０  箱状体
１１  植生部
１２  底板
１２ａ  貫通孔
１５  接続側板
１６  長手側板
１７、１７ａ、１７ｂ  上側の縁部
１９、１９ａ、１９ｂ  下側の縁部
２２  貫通孔
５１、５６  支持部材
５１ａ  貫通部
６１  覆い部
６８  覆い部材
７０  配水管
９０  レール
９１  まくら木
【図１】
2005287404.tif 000003
【図２】
2005287404.tif 000004
【図３】
2005287404.tif 000005
【図４】
2005287404.tif 000006
【図５】
2005287404.tif 000007
【図６】
2005287404.tif 000008
【図７】
2005287404.tif 000009
【図８】
2005287404.tif 000010
【図９】
2005287404.tif 000011
【図１０】
2005287404.tif 000012
【図１１】
2005287404.tif 000013
【図１２】
2005287404.tif 000014
【図１３】
2005287404.tif 000015
【図１４】
2005287404.tif 000016
【図１５】
2005287404.tif 000017